(57)【要約】【課題】Ｌ字形に構成した対面式キッチン設備は、隅部に相当する箇所の内部空間を収納部として利用しにくい。【解決手段】ワークトップ３下方に収納部Ｓが設けられ平面形状がＬ字形に構成されたキッチン設備Ｋにおいて、隅部Ｃを構成する隣接した二つの外側面１ａ，２ａの少なくとも一方に収納部Ｓに通じる開口９を形成する。また開口９を通じて出し入れできる引き出し１０，１１を設ける。ダイニングルーム側から引き出し１０，１１を手軽に利用することが可能なので、隅部Ｃの収納部Ｓを、簡単に使用できるようになり、収納容積の実質的な拡大がもたらされる。【選択図】      図１
2004329464.tif 000002
【特許請求の範囲】
【請求項１】
ワークトップの下方に収納部が設けられ、平面形状がＬ字形に構成されたキッチン設備において、前記Ｌ字形の隅部を構成する隣接した二つの外側面の少なくとも一方に、前記隅部に相当する位置の収納部に通じる開口を形成したことを特徴とするＬ字形キッチン設備。
【請求項２】
前記隅部に相当する位置の収納部における収納空間を、前記開口に近い手前側収納域と前記開口から離れた奥側収納域とに区分し、手前側収納域に、前記開口から引き出し可能な移動式収納具を配置した請求項１に記載するＬ字形キッチン設備。
【発明の詳細な説明】
【０００１】
【発明の属する技術分野】
本発明は、キッチン等の作業領域と、ダイニングルームやリビングルーム等の非作業領域との間に設置される対面式キッチン設備であって、平面形状がほぼＬ字形の構成を有するものに関する。
【０００２】
【従来の技術】
キッチンに隣接してダイニングルーム又はリビングルームが設けられている場合、両者間の仕切り壁を取り払うか、あるいは、仕切り壁に広い開口を設けると共に、キッチンとダイニングルーム等との仕切り位置に、料理・食器の受け渡しや会話などを容易に行えるように構成した対面式キッチン設備を配置することが最近採用されつつある。対面式キッチン設備としては、例えば特許文献１や２に記載されるようなものがある。
【０００３】
キッチンとダイニングルーム等との間に配置される対面式キッチン設備は、キッチン側で調理等の作業を行っているときにダイニングルーム等を視野に入れることができ、反対に、ダイニングルーム等からキッチン側に居る人を観察することができるので、両者間でコミュニケーションを図ったり共同で作業を行ったりするのが容易になる、という利点が得られる。
【０００４】
また特許文献１に記載される対面式キッチン設備は、床に設置されるフロアキャビネットにシンクや加熱調理器を設けたものであって、ダイニングルーム側から出し入れできる収納部を有している。また特許文献２には、対面式キッチン設備のダイニングルーム側に、出し入れできる引き出し構造の食器洗い乾燥機を設けることが記載されている。
【０００５】
【特許文献１】
特開２００１−２５８６６３公報
【特許文献２】
特開２００２−１６５６５３公報
【０００６】
【発明が解決しようとする課題】
対面式キッチン設備を、二つのフロアキャビネットを直角に突き合わせて平面形状がほぼＬ字形となるように構成した場合、隅部に相当する箇所の内部空間を収納部として利用しにくいという問題がある。特許文献１及び２には、Ｌ字形のキッチン設備について記載が無く、上記問題の解決手段は示されていない。
【０００７】
【課題を解決するための手段】
本発明が前記従来の問題を解決するために採用したＬ字形キッチン設備の特徴とするところは、ワークトップの下方に収納部が設けられ、平面形状がＬ字形に構成されたキッチン設備において、前記Ｌ字形の隅部を構成する隣接した二つの外側面の少なくとも一方に、前記隅部に相当する位置の収納部に通じる開口を形成したことである。
【０００８】
本発明のＬ字形キッチン設備は、キッチン等の作業領域と、ダイニングルームやリビングルーム等の非作業領域との間に設置されて、対面式キッチンを構築するのに用いられる。そして本発明のＬ字形キッチン設備は、前記構成に基づき、Ｌ字形の隅部に相当する位置の収納部に通じる開口を外側面に有するから、この隅部位置の収納部を、ダイニングルーム等から利用することが可能となる。
【０００９】
また本発明に係るＬ字形キッチン設備は、前記隅部に相当する位置の収納部における収納空間を、前記開口に近い手前側収納域と前記開口から離れた奥側収納域とに区分し、手前側収納域に、前記開口から引き出し可能な移動式収納具を配置する構成を採用することもできる。
【００１０】
かかる構成によれば、隅部位置の収納空間における手前側収納域の利用が容易になるから、使い勝手が向上する。
【００１１】
【発明の実施の形態】
［第１の実施形態］
図１〜３は、本発明に係るＬ字形キッチン設備（以下、本発明キッチン設備と言う）Ｋの一実施形態を示すものであって、図１は斜視図、図２はダイニングキッチンＤに設置した状況を示す平面図、図３は隅部の側面断面図である。本発明キッチン設備Ｋは、直角に突き合わせて一体化された２つのキャビネット１，２と、その上端部に配置されるワークトップ３とから成り、平面形状がほぼＬ字形に構成されている。キャビネット１，２は、内部に収納部を有し、他方、ワークトップ３には、作業カウンター４のほか、水栓器具６を取り付けたシンク５、ガスレンジや電磁調理器などの加熱調理器具７等が配設される。
【００１２】
本発明キッチン設備Ｋの特徴とするところは、直角に突き合わされたキャビネット１，２によって形成されるＬ字形隅部Ｃの収納部Ｓに通じる開口９を、前記Ｌ字形隅部Ｃを構成する隣接した二つの外側面１ａ，２ａの少なくとも一方に形成したことであり、本実施形態では、上記収納部Ｓの利用形態として、開口９を通じて収納部Ｓに対し出し入れできる引き出し１０，１１を設ける構成を採用した。
【００１３】
前記のように構成した本発明キッチン設備Ｋは、図２に示す如く、例えばダイニングキッチンＤの床上におけるダイニングルームＬとキッチンＭとを仕切る位置へ、一方のキャビネット２の外側面２ａを壁面Ｗに当接させて配置され、これにより、対面式キッチンを構築している。そして本実施形態では、本発明キッチン設備ＫのダイニングルームＬに面する方の外側面１ａに、引き出し１０，１１を出し入れするための開口９を形成してあるので、ダイニングルームＬ側から引き出し１０，１１を手軽に利用することが可能となっている。このように本発明は、Ｌ字形キッチン設備Ｋにおける従来利用しにくかった隅部Ｃの収納部Ｓを、簡単に使用できるようにするものであり、その結果、収納容積の実質的な拡大がもたらされる。
【００１４】
［第２の実施形態］
本発明キッチン設備Ｋにおける隅部Ｃの収納部Ｓの利用形態としては、前記引き出し構造以外に、移動式収納具として、図４に示すような、キャスター１２ｂで床Ｆ上を移動するワゴン１２を配置する構造も考えられる。この場合、ワゴン１２の前板１２ａは、ワークトップ３の前端縁と面一となる状態で、収納部Ｓの開口９のほぼ全体を閉止する大きさに設定することが望ましい。
【００１５】
さらに本例では、収納部Ｓの収納空間を、開口９近い手前側収納域Ｓ１と開口９から離れた奥側収納域Ｓ２とに区分し、手前側収納域Ｓ１に移動式収納具としてワゴン１２を配設し、奥側収納域Ｓ２には、両側端部をガイドレール１３ａ等で支持した可動式トレイ１３を配置する構造を採用することができる。かかる構成によれば、頻繁に出し入れされることの多い物品については、収納部Ｓから引き出し容易な手前側のワゴン１２に収納し、備蓄品や使用頻度の低い物品等については奥側のトレイ１３に収納するという使い分けが可能である。また、これによりワゴン１２の収納量を減らして軽量化できるから、ワゴン１２の移動操作が容易になるという利点が得られる。
【００１６】
［第３の実施形態］
図５は、本発明キッチン設備Ｋの収納部Ｓの利用形態の応用例を示すものであって、収納部Ｓの上部領域に引き出し１１を配設し、下部領域の手前側に移動式収納具であるワゴン１２を配置すると共に、下部領域の奥側にキャスター１４ａ付きの可動キャビネット１４を配置する構造も考えられる。
【００１７】
［第４の実施形態］
本発明キッチン設備Ｋにおける隅部Ｃの収納部Ｓの利用形態は、前述した以外に、図６に示す如く、収納部Ｓを閉止する扉１５を開口９に取り付ける構成でもよく、さらには、図７に示すとおり、収納部Ｓに通じる開口９だけを設ける構成も可能である。
【００１８】
［第５の実施形態］
図８に示すように、本発明キッチン設備ＫをダイニングキッチンＤにおけるダイニングルームＬとキッチンＭとの仕切り位置に配置するに際し、壁面Ｗとの間に若干の距離を設けることがある。この場合、図９に示す如く、隅部Ｃの収納部Ｓに通じる開口９を、上記壁面Ｗに面する側の外側面２ａに形成することが可能である。なお本例では、収納部Ｓに引き出し１０，１１を配置する構成を採用したが、前記第２〜第４の実施形態に例示したような構造を採用することも妨げない。
【００１９】
【発明の効果】
本発明によれば、対面式キッチンを構築するＬ字形キッチン設備における隅部の収納部を容易に利用できるようになるので、従来デッドスペースとなり易かった空間の有効利用が可能となり、その結果、収納空間の実質的な拡大をもたらすことができる。また、本発明キッチン設備を、キッチン等の作業領域とダイニングルームやリビングルーム等の非作業領域との間に配置して対面式キッチンを構築した場合に、上記収納部をダイニングルーム等の非作業領域側から容易に利用することが可能なので、キッチン設備の機能性が向上する。
【００２０】
また、隅部の収納部における収納空間を、手前側収納域と奥側収納域とに区分し、手前側収納域に引き出し可能な移動式収納具を配置した場合は、収納空間を手前側と奥側とで使い分けができるので、使い勝手が向上する。
【図面の簡単な説明】
【図１】本発明キッチン設備の第１の実施形態に係るものであって、全体を示す斜視図である。
【図２】本発明キッチン設備の第１の実施形態に係るものであって、設置状況を示す平面図である。
【図３】本発明キッチン設備の第１の実施形態に係るものであって、隅部における側面断面図である。
【図４】本発明キッチン設備の第２の実施形態に係るものであって、隅部における側面断面図である。
【図５】本発明キッチン設備の第３の実施形態に係るものであって、隅部における側面断面図である。
【図６】本発明キッチン設備の第４の実施形態に係るものであって、全体を示す斜視図である。
【図７】本発明キッチン設備の第４の実施形態に関する異なる例に係るものであって、全体を示す斜視図である。
【図８】本発明キッチン設備の第５の実施形態に係るものであって、設置状況を示す平面図である。
【図９】本発明キッチン設備の第５の実施形態に係るものであって、全体を示す斜視図である。
【符号の説明】
Ｋ…本発明キッチン設備    １，２…キャビネット  １ａ，２ａ…外側面  ３…ワークトップ  ４…作業カウンター  ５…シンク  ６…水栓器具  ７…加熱調理具  ９…開口  １０，１１…引き出し  １２…ワゴン（移動式収納具）  １３…トレイ  Ｃ…隅部  Ｄ…ダイニングキッチン  Ｌ…ダイニングルーム（非作業領域）  Ｍ…キッチン（作業領域）  Ｗ…壁面
【図１】
2004329464.tif 000003
【図２】
2004329464.tif 000004
【図３】
2004329464.tif 000005
【図４】
2004329464.tif 000006
【図５】
2004329464.tif 000007
【図６】
2004329464.tif 000008
【図７】
2004329464.tif 000009
【図８】
2004329464.tif 000010
【図９】
2004329464.tif 000011